(57)【要約】      （修正有）【課題】内容物を隠し、より一層内容物を保護し、衝撃によるダメージを防ぎ、効果的に内容物を安定させる枕具を提供する。【解決手段】枕袋１、内袋、および充填物を備える。枕袋１は、布体と皮革とをミシンで縫い合わせることで形成されている。内袋は、布体と皮革とをミシンで縫い合わせることで、枕袋１より小さく形成されており、枕袋１内に収容され、内容物を収容可能であり、辺の幅より小さい幅の開口２１を有し、開口２１には開閉パーツ２２が設けられ、ミシンの縫い合わせにより枕袋１と結合するブリッジング部を複数有する。充填物は、内袋に収容され、ふわふわと膨らむことが可能な材料で作られており、枕袋１を膨らませることが可能であり、弾力性の張力によって内袋および内袋内の内容物を覆うとともに押える。【選択図】図１
0003198444.tif 000002
【実用新案登録請求の範囲】
【請求項１】
枕袋、内袋、および充填物を備え、
前記枕袋は、布体と皮革とをミシンで縫い合わせることで形成されており、
前記内袋は、布体と皮革とをミシンで縫い合わせることで形成されており、前記枕袋より小さく形成されており、前記枕袋内に収容されており、内容物を収容可能であり、辺の幅より小さい幅を有する開口を有し、前記開口が前記枕袋の頂部の近傍に位置し前記枕袋と前記内袋とをともに縫い合わせることで形成されており、前記開口に開閉パーツが設けられており、ミシンの縫い合わせにより形成されており前記枕袋と結合するブリッジング部を有し、
前記充填物は、前記内袋に収容されており、ふわふわと膨らむことが可能な材料で作れており、前記枕袋内で前記枕袋を膨らませることが可能であり、弾力性の張力によって前記内袋および前記内袋内の内容物を覆うとともに押えることを特徴とする枕具。
【請求項２】
前記開口は、前記枕袋の正面および背面の上側の部分に位置することを特徴とする請求項１に記載の枕具。
【請求項３】
少なくとも一つの前記ブリッジング部は、前記内袋の底部に延設されており、前記枕袋の底部に結合されていることを特徴とする請求項１に記載の枕具。
【請求項４】
前記ブリッジング部は、複数設けられており、それぞれ前記内袋の両側に延設されており、前記枕袋の両側に結合されていることを特徴とする請求項１に記載の枕具。
【請求項５】
前記ブリッジング部は、複数設けられており、それぞれ前記内袋の両側の底端に延設されており、前記枕袋の両側の底端に結合されていることを特徴とする請求項１に記載の枕具。
【請求項６】
前記ブリッジング部は、片状、線状、または棒状であることを特徴とする請求項１に記載の枕具。
【請求項７】
前記充填物は、羽毛、木綿、羊毛、ビロード、シルク、スポンジ、フォーム、天然繊維、及び人造繊維のうち少なくとも一つを含むことを特徴とする請求項１に記載の枕具。
【請求項８】
前記開閉パーツは、線ファスナー、面ファスナー、スライドジッパー、または、スナップファスナーであることを特徴とする請求項１に記載の枕具。
【請求項９】
前記枕袋および前記内袋は、プラスチックまたはゴムを含む非透気性材料により形成されており、熱融着方式で結合し、前記開口にスライドジッパーが熱融着により結合されており、ガスまたは液体を含む前記充填物が、前記枕袋内に収容されており、前記枕袋を膨らませ、前記内袋及び前記内袋に収容されている内容物を押さえることを特徴とする請求項１に記載の枕具。
【請求項１０】
前記枕袋は、少なくとも一つの紐と結合し、バッグ、リュックサック、またはショルダーバッグを形成可能であることを特徴とする請求項１に記載の枕具。
【考案の詳細な説明】
【技術分野】
【０００１】
本考案は一種の枕具に関し、抱き枕、クッション、枕、バッグ、リュックサック、またはショルダーバッグに適用する枕具に関する。
【背景技術】
【０００２】
従来の枕具は通常、一つの枕袋内にふわふわと膨らむことが可能な質料を入れ込み、抱き・背もたれ・クッションとして用いられ、プレッシャー解放、快適、柔らかい感覚を与え、現在市販される枕具は殆ど形(四角形、円形、ハート形、Ｃ形、動物造形)、色又は表面の飾りを多様に変化させ、抱き枕、クッション、枕頭として用いるだけで、他のよりよい複合機能は殆どなく、市場競争力が欠けている。
【考案の概要】
【考案が解決しようとする課題】
【０００３】
本稿案は、上述の問題に鑑みてなされたものであり、その目的は、内容物を隠し、より一層内容物を保護し、衝撃によるダメージを防ぎ、効果的に内容物を安定させる枕具を提供することにある。
【課題を解決するための手段】
【０００４】
本考案による枕具は、枕袋、内袋、および充填物を備える。枕袋は、布体と皮革とをミシンで縫い合わせることで形成されている。内袋は、布体と皮革とをミシンで縫い合わせることで形成されており、枕袋より小さく形成されており、枕袋内に収容されており、内容物を収容可能であり、辺の幅より小さい幅を有する開口を有し、開口が枕袋の頂部の近傍に位置し枕袋と内袋とをともに縫い合わせることで形成されており、開口に開閉パーツが設けられており、ミシンの縫い合わせにより形成されており枕袋と結合するブリッジング部複数有する。充填物は、内袋に収容されており、ふわふわと膨らむことが可能な材料で作れており、枕袋内で枕袋を膨らませることが可能であり、弾力性の張力によって内袋および内袋内の内容物を覆うとともに押える。
【０００５】
本考案では、開口により内容物が内袋内に入れられ、開閉パーツによって開口の開閉が制御される。内袋は開閉パーツおよびブリッジング部により枕袋に結合されている。内袋を枕袋内の中央部に立設固定し、外反を防ぐ。充填物は、枕袋を膨らませると同時に、弾力性の張力によって内袋及び内袋に収容されている内容物を押さえる。内容物を隠す効果が得られる。また内容物を保護し、衝撃によるダメージを防ぐ。よい安定安全性を備えることにより、枕具の置き機能を効果的に増やすことができる。
ブリッジング部は、片状、線状、または棒状である。
充填物は、羽毛、木綿、羊毛、ビロード、シルク、スポンジ、フォーム、天然繊維、及び人造繊維のうち少なくとも一つを含む。
開閉パーツは、線ファスナー、面ファスナー、スライドジッパー、または、スナップファスナーである。
【０００６】
枕袋および内袋は、プラスチックまたはゴムを含む非透気性材料で形成されている。開閉パーツはスライドジッパーである。充填物はガスまたは液体である。
枕袋は、少なくとも一つの紐と結合し、バッグ、リュックサック、またはショルダーバッグを形成可能である。
【図面の簡単な説明】
【０００７】
【図１】本考案の一実施形態による枕具を示す斜視図である。
【図２】本考案の一実施形態による枕具を示す断面模式図である。
【図３】本考案の一実施形態による枕具を示す断面模式図である。
【図４】本考案の一実施形態による枕具の内袋の変形例を示す断面模式図である。
【図５】本考案の一実施形態による枕具の内袋の変形例を示す断面模式図である。
【図６】本考案の一実施形態による枕具の開口の変形例を示す斜視図である。
【図７】本考案の一実施形態による枕具の開口の変形例を示す断面模式図である。
【図８】本考案の一実施形態による枕具をバッグに適用する状態を示す斜視図である。
【図９】本考案の一実施形態による枕具をリュックサックに適用する状態を示す平面図である。
【図１０】本考案の一実施形態による枕具をショルダーバッグに適用する状態を示す斜視図である。
【考案を実施するための形態】
【０００８】
（一実施形態）
図面に基づいて、本考案の一実施形態による枕具を説明する。
図１、図２及び図３に示すように、本考案の枕具は、一つの枕袋１、一つの内袋２及び一つの充填物３によって構成されることを含む。
それぞれの布体と皮革をマシンで縫い合わせて枕袋１と内袋２を形成する。
【０００９】
内袋２は、サイズが枕袋１のサイズより小さく形成されており、かつ枕袋１内に収容されている。内袋２は、辺の幅より小さい幅を有する開口２１を有する。開口２１は、枕袋１の頂部の近傍に位置し、枕袋１と内袋２とをともに縫い合わせることで形成されている。開口２１は、内容物４、例えば３Ｃ電気製品、アイマスク、マスク、手袋、ヘッドスカーフ、薬品、香水シート、または小銭…等を内袋２に入れたり又は出したりするのに用いられる。開口２１は、ミシンにより縫い合わせられた一つの開閉パーツ２２により開閉が制御される。本実施形態では、開閉パーツ２２は、一つのファスナーであり、線ファスナー、面ファスナー、スライドジッパー、または、スナップファスナーである。内袋２の底側に一つのブリッジング部２３を延設し、枕袋１の底側とミシンで縫い合わせることによって、内袋２を枕袋１内の中央部に立設固定し、内袋２外反を防ぐ。ブリッジング部２３は本実施形態において一つの片状、線状、繩状、又は縞状を用いることができる。
【００１０】
充填物３はふわふわと膨らむことが可能な材料であって、少なくとも一種の羽毛、木綿、羊毛、ビロード、シルク、スポンジ、フォーム、天然繊維及び人造繊維を含む。充填物３を枕袋１内に入れることによって、枕袋を膨らませ、また弾力性の張力によって内袋を覆う。内袋２及び内袋２に置かれる内容物４によって、内容物４を内袋２内に安定させる。
【００１１】
上述の部材により、ブリッジング部２３を枕袋１に結合することによって、内袋２を枕袋１内の中央部に立設固定し、内袋２外反を防ぐ。充填物３で枕袋１を膨らませると同時に、弾力性の張力によって内袋２を覆う。及び内袋２内に収容されている内容物４を押さえることによって、内容物４を充填物３と枕袋１内の中央部に安定させ、また開口２１と開閉パーツ２２により、内容物４を入れたり、出したりするときは便利になる。
【００１２】
本考案は図４に示すように、内袋２の両側にブリッジング部２４、２５が延設されており、ブリッジング部２４、２５が枕袋１の両側にミシンで縫い合わされている。
【００１３】
本考案は図５に示すように、内袋２の両側の底端にブリッジング部２６、２７が延設されており、ブリッジング部２６、２７が枕袋１の両側の底端にミシンで縫い合わされている。
本考案は図６と図７に示すように、開口２１を枕袋１の正面又は背面上段部に設置することができる。
【００１４】
本考案は図８、図９及び図１０に示すように、枕袋１を少なくとも一つの紐５と結合することによって、一種の持ち運びに便利なバッグ、リュックサック、ショルダーバッグが形成される。
【００１５】
その中の枕袋１と内袋２は、プラスチック又はゴム等の非透気性材料を熱融着方式で結合させ、また開口２１に一つのジッパースライダーの開閉パーツ２２を熱融着で結合させ、かつガスまたは液体を含む充填物３を入れることによって枕袋１を膨らませ、また内袋２を覆い、及び内袋２に収容されている内容物４を押さえる。充填物３はガスであるとき、救命浮輪にすることができる。かつ開閉パーツ２２によって開口２１を密封させ、内容物４が濡れないようにし、かつ充填物３が液体であるとき、膨らませる支持力をより一層強化することができる。
【符号の説明】
【００１６】
１  枕袋、
２  内袋、
２１  開口、
２２  開閉パーツ、
２３、２４、２５、２６、２７  ブリッジング部、
３  充填物、
４  内容物、
５  紐。
【図１】
0003198444.tif 000003
【図２】
0003198444.tif 000004
【図３】
0003198444.tif 000005
【図４】
0003198444.tif 000006
【図５】
0003198444.tif 000007
【図６】
0003198444.tif 000008
【図７】
0003198444.tif 000009
【図８】
0003198444.tif 000010
【図９】
0003198444.tif 000011
【図１０】
0003198444.tif 000012